(57)【要約】【課題】２つの画面を同時に記録するカメラで、２画面撮影時により効果的な撮影のできるカメラ、そのカメラの記録方法、そのプログラムおよび記録媒体を提供する。【解決手段】全体を撮影する全域画像の撮影から、一部画像である指定部画像の撮影への切換え操作時に、撮影画像を表示するメイン画面と補助的な画像を表示するサブ画面をマルチ画面表示させる。まず切換えスタート時には（図９（Ａ））、全域画像をサブ画面１２ｃ、指定部画像をサブ画面１２ｄに表示させる。そして、全域画像から指定画像へ徐々にズームアップしていくように撮影画像を切換える（図９（Ｂ））。また、サブ画面１２ｃには常に全域画像を表示させる（図９（Ｂ）、（Ｃ））。【選択図】図９
2007295529.tif 000002
【特許請求の範囲】
【請求項１】
撮影可能な全範囲である全域画像の撮影を開始させる全域撮影操作部と、
上記全域画像の一部の範囲を指定する範囲指定部と、
上記範囲指定部により指定される範囲の画像である指定部画像の撮影を開始させる指定部撮影操作部と、
上記指定部撮影操作部による撮影時のモニタ画面上で、指定部画像と全域画像を画面を分けて同時に表示する表示制御部と、備える
ことを特徴とするカメラ。
【請求項２】
第１の画像の撮影と上記第１の画像の撮影範囲に含まれる第２の画像の撮影を切換える切換え操作部と、
上記切換え操作部による第１の画像から第２の画像または第２の画像から第１の画像への切換えに際して、上記第１の画像と第２の画像との中間サイズの画像を第３の画像として撮影する制御部  を備える
ことを特徴とするカメラ。
【請求項３】
上記第１画像から第２画像への変化または第２の画像から第１の画像への変化を確認させるために、モニタ上で第１画像と第３画像を同時に表示させる表示制御部を備える
ことを特徴とする請求項２に記載のカメラ。
【請求項４】
撮影可能な全画面範囲に相当する全域画像と上記全域画像の中で指定される範囲の画像である指定部画像を選択的に撮影可能なカメラにおいて、
上記指定部画像を撮影する際に、上記全域画像が示される画面と指定部画像が示される画面とをモニタ上でマルチ画面表示させる表示制御部を備える
ことを特徴とするカメラ。
【請求項５】
撮影可能範囲内の複数のエリアの画像であって、第１タイミングで得られる第１エリア画像と第２のタイミングで得られる第２エリア画像を同じタイミングの画像として構成する画面構成部と、
構成された画像を１つの動画像として記録するよう制御する制御部を備える
ことを特徴とするカメラ。
【請求項６】
全画面範囲に相当する全域の画像信号と画面の一部で指定された範囲の画像信号である指定部の画像信号を、撮像素子から交互に連続して読み出す読み出し部と、
上記全域の画像信号と指定部の画像信号を合成して、全域画像と指定部画像の２つの画面からなる１の画像を作成する画面構成部と、
上記構成された１の画像を動画像として記録する制御部を備える
ことを特徴とするカメラ。
【請求項７】
動画像を記録するカメラの記録方法において、
全画面範囲に相当する全域の画像信号と画面の一部で指定された範囲の画像信号である指定部の画像信号を、撮像素子から交互に連続して読み出し、
全域の画像信号と指定部の画像信号を合成して、全域画像と指定部画像の２つの画面からなる１の画像を作成し、上記構成された１の画像を動画像として記録する
ことを特徴とするカメラの記録方法。
【請求項８】
カメラのコンピュータに動画像を記録する記録方法を実行させるプログラムにおいて、
上記カメラの記録方法は、
全画面範囲に相当する全域の画像信号と画面の一部で指定された範囲の画像信号である指定部の画像信号を、撮像素子から交互に連続して読み出し、
全域の画像信号と指定部の画像信号を合成して、全域画像と指定部画像の２つの画面からなる１の画像を作成し、上記構成された１の画像を動画像として記録する
ことを特徴とするプログラム。
【請求項９】
カメラのコンピュータに動画像を記録する記録方法を実行させるプログラムが記録された記録媒体において、
上記カメラの記録方法は、
全画面範囲に相当する全域の画像信号と画面の一部で指定された範囲の画像信号である指定部の画像信号を、撮像素子から交互に連続して読み出し、
全域の画像信号と指定部の画像信号を合成して、全域画像と指定部画像の２つの画面からなる１の画像を作成し、上記構成された１の画像を動画像として記録する
ことを特徴とする記録媒体。
【発明の詳細な説明】
【技術分野】
【０００１】
この発明は、カメラ、特に全体画面とその一部分画面の２つの画面を同時に撮影するカメラに関する。
【背景技術】
【０００２】
従来は、撮影時のフレーミングやズーミングを行う際には、カメラの向きを変えたり光学ズームを調整して実現していた。しかし、頻繁なフレーミングやズーミングには操作の手間がかかるだけでなく、その操作による機械音が音声ノイズとして入ることや、画角の不連続に変化して見づらくなるといったいろいろな問題があった。
【０００３】
そこで光学手段によらず、異なる２つの画像を同時に撮影する撮像装置について提案されている（特許文献１）。この撮像装置では、撮像素子の異なる領域から信号を読み出して、それぞれ動画信号として記録する装置である。
【０００４】
また、１つの撮像素子から２つの画像を得るカメラとして、動画用信号と静止画用信号を交互に読み出して、動画撮影中に静止画撮影をできるカメラについて提案されている（特許文献２、特許文献３）。
【特許文献１】特開２００６−４２３９９号公報
【特許文献２】特開２００５−１１７３７５号公報
【特許文献３】特開２００５−０５７３７８号公報
【発明の開示】
【発明が解決しようとする課題】
【０００５】
上記特許文献１，２で説明したように、２つの画面や画像を同時に撮影するカメラが最近提案されている。
【０００６】
しかし、２つの画面を同時に撮影するカメラはその利便性が大きい一方、従来の１画面のみを撮影するカメラにはなかった２画面撮影のカメラ特有の新たな課題が発生する。例えば、画面切換え時の画面の変化が不自然になってしまう点や、撮影時にいずれをモニタ画面に表示するかも課題となる。
【０００７】
本願発明は、上記課題に鑑み、２つの画面を同時に記録するカメラで、２画面撮影時により効果的な撮影のできるカメラ、そのカメラの記録方法、そのプログラムおよび記録媒体を提供することを目的とする。
【課題を解決するための手段】
【０００８】
上記目的を達成するため、第1の発明によるカメラは、撮影可能な全範囲である全域画像の撮影を開始させる全域撮影操作部と、上記全域画像の一部の範囲を指定する範囲指定部と、上記範囲指定部により指定される範囲の画像である指定部画像の撮影を開始させる指定部撮影操作部と、指定部撮影操作部による撮影時のモニタ画面上で、指定部画像と全域画像を画面を分けて同時に表示する表示制御部と、備えるものである。
【０００９】
また、第２の発明によるカメラは、撮影可能な全画面範囲に相当する全域画像と上記全域画像の中で指定される範囲の画像である指定部画像を選択的に撮影可能なカメラにおいて、上記指定部画像を撮影する際に、上記全域画像が示される画面と指定部画像が示される画面とをモニタ上でマルチ画面表示させる表示制御部を備えるものである。
【００１０】
また、第３の発明によるカメラは、撮影可能範囲内の複数のエリアの画像であって、第１タイミングで得られた第１エリア画像と第２のタイミングで得られた第２エリア画像を同じタイミングの画像として再構成する画面構成部と、構成された画像を１つの動画像として記録する制御部を備えるものである。
【００１１】
また、第４の発明によるカメラは、全画面範囲に相当する全域の画像信号と画面の一部で指定された範囲の画像信号である指定部の画像信号を、撮像素子から交互に連続して読み出す読み出し部と、上記全域の画像信号と指定部の画像信号を合成して、全域画像と指定部画像の２つの画面からなる１の画像を作成する画面構成部と、上記構成された１の画像を動画像として記録する制御部を備えるものである。
【００１２】
また、第５の発明によるカメラの記録方法は、動画像を記録するカメラの記録方法において、全画面範囲に相当する全域の画像信号と画面の一部で指定された範囲の画像信号である指定部の画像信号を、撮像素子から交互に連続して読み出し、全域の画像信号と指定部の画像信号を合成して、全域画像と指定部画像の２つの画面からなる１の画像を作成し、上記構成された１の画像を動画像として記録するものである。
【発明の効果】
【００１３】
本発明によれば、２つの画面を同時に記録するカメラで、２画面撮影時により効果的な撮影のできるカメラ、そのカメラの記録方法、そのプログラムおよび記録媒体を提供することができる。
【発明を実施するための最良の形態】
【００１４】
以下本発明を実施するための最良の形態を図面を参照して説明する。
ここで、従来のビデオカメラの撮影方法を簡単に紹介する。図１は、従来の撮影方法を説明する図である。まず図１（Ａ）は、従来のビデオカメラが構えられた状態を、背面から見た図である。図１（Ｂ）は、操作の手順を示す簡単なフローチャートである。ユーザーは、カメラの向きを被写体に合わせる（ステップＡ１）。被写体の大きさに合わせて、カメラのズームをあわせる（ステップＡ２）。そして、撮影開始指示により撮影を開始する（ステップＡ３）。撮影終了指示を待って、撮影を終了する（ステップＡ４）。
【００１５】
図１（Ｃ）は撮影される画像の一例を示す。例えば、Ｃ−１のような画像を撮影中に、Ｃ−２のようにフレーミングが変更されたり、Ｃ−３のようなズームをすることは良く行われる。そして、この頻繁な操作によってユーザーの手の動きにより手ぶれ状態となることも多い。また、このような画像では鑑賞時に気持ちが悪くなるおそれもある。また、この頻繁な操作によって、ズーム音などの操作音が気になったりもするし、ズーミング制御をミスすると、即失敗につながるという難しさがあった。
【００１６】
（第１実施形態）
図２から図７を用いて第１実施形態を説明する。図２は、本発明が適用されるカメラ１の全体ブロック図である。カメラ１には撮影レンズ２、撮像素子３、ＡＦＥ（アナログフロントエンド）４、選択部５、画像処理ユニット８が設けられる。撮影レンズ２は、入射した被写体２０の像を撮像素子３に結像する。撮像素子３は、ＣＣＤやＣＭＯＳからなり、結像された被写体像を電気信号に変換する。ＡＦＥ４は、撮像素子３からの画像信号を読み出し、読み出した画像信号にＡＧＣ処理やＣＤＳ処理やＡＤ変換等してデジタル画像データとして出力する。またＡＦＥ４は、撮像素子３の駆動も制御する。選択部５は、ＡＦＥ４からの画像データを後段の２つの画像処理部に種類に応じて選択して出力する。
【００１７】
画像処理ユニット８は、画像データに各種処理を施し、記録媒体に記録するものである。画像処理ユニット８は、第1画像処理部６ａ、第２画像処理部６ｂ、第1記録再生部７ａ、第２記録再生部７ｂから構成される。上記選択部５は、画面全体の領域の信号であって、所定のルールで間引かれた画像データを第1画像処理部６ａに出力する。また選択部５は、所定領域に限定された画像データを第２画像処理部６ｂに出力する。第1画像処理部６ａ及び第２画像処理部６ｂには、色処理部や圧縮部や伸張部等が設けられ、画像データに対して色補正や信号圧縮、伸張などの処理を行う。圧縮部は、画像データを不図示のメモリに記録するための例えばＪＰＥＧ圧縮やＭＰＥＧ圧縮を行い、また音声圧縮の機能も有する。伸張部は、圧縮された画像データを元に戻す処理を行う。
【００１８】
つまり、第1画像処理部６ａには、撮影領域全体の画像（以下全域画像または全体画像と称す）が入力される。また、第２画像処理部６ｂには、撮影領域の一部の画像（以下指定部画像または一部画像と称す）が入力される。第1記録再生部７ａが、第1画像処理部６ａで画像処理された全体の画像を記録媒体１９に記録する。同様に第２記録再生部７ｂが、第２画像処理部６ｂで画像処理された部分の画像を記録媒体１９に記録する。再生時には、第1記録再生部７ａと第２記録再生部７ｂがそれぞれ記録媒体１９から全域画像と部分画像を読出し、第1画像処理部６ａ及び第2画像処理部６ｂが伸張処理を行う。
【００１９】
また、カメラ１には、表示制御部９、表示部１２、タッチパネル１３が設けられる。表示制御部９は、第1画像処理部６ａと第２画像処理部６ｂによって画像処理された画像を、表示部１２へ表示するための制御を行う。表示部１２は、例えばＬＣＤから構成され、撮影時にモニタ画像を表示し、再生時には伸張処理された記録画像を表示する。タッチパネル１３は、表示部１２の表面に実装され、操作者の表示部１２の画面へのタッチ操作を直接的に検出するものである。
【００２０】
また、カメラ１には、ＡＦ部１４、マイク部１５と音声記録部１７が設けられる。ＡＦ部１４は、アクチュエータや位置エンコーダを有し、撮影レンズ２内のピントレンズの移動を制御する。ＡＦ部１４は、画像処理ユニット８からの画像のコントラスト値に基づいて合焦位置を検出し、このピントレンズを移動させる。マイク部１５は、撮影時に音声を検出記録するためのものである。音声記録部１７は、マイク部１５で検出された音声信号をデジタル化して、不図示のメモリに記録する。また、音声記録部１７は記録する音声を撮影画像に関連するように記録する。
【００２１】
また、カメラ１には、ＭＰＵ１０、ＲＯＭ１１、操作部１６、時刻部１８が設けられる。ＭＰＵ１０は、プログラムに従って撮影や再生等カメラ１の全体の制御を司る制御部である。上記選択部５やタッチパネル１３もＭＰＵ１０により制御される。ＲＯＭ１１は、不揮発性でかつ記録可能なメモリで例えばフラッシュＲＯＭからなり、カメラ処理を行う制御用のプログラムが格納される。操作部１６は、撮影者の指示をＭＰＵ１０に通知する。操作部１６の代表例としてスイッチ１６ａ、１６ｂが設けられる。例えばスイッチ１６ｂは撮影（レリーズ）指示用である。時刻部１８は、記録時に画像や音声にタイムスタンプを付帯させるための時刻発生部である。付帯される時刻データに基づいて、再生時には各画像と音声が同期して再生される。
【００２２】
そしてこのカメラ１は、被写体像２０を撮影レンズ２を介して撮像素子３にて受像して電気信号に変換して記録するタイプのカメラであるが、ここで用いる撮像素子３は、例えば１０００万画素クラスの高画素でかつ、ＣＭＯＳセンサ等であることがより望ましい。つまり、ここで用いる撮像素子３は、秒６０フレームから１００フレームの高速全画素読出しも可能とした、最新技術を採用したものであることが望ましい。
【００２３】
一方、このような高画素かつ高速読出しのセンサでは、再生時に、全画素を全てを利用するような表示デバイスは現在のところない。例えばいわゆるハイビジョンと呼ばれるＴＶ（ＨＤＴＶ）ですら、１００万画素相当の解像度があれば十分である。つまり、その全ての画素（１０００万画素）を利用しての撮影は、再生まで考えるとオーバースペックになってしまう。そこで、本発明では、任意の部分を読み出して必要部分のみを読み込んで記録するようにする。このような所定エリアのみの読出しや間引きや画素信号の加算なども、ＣＭＯＳセンサの得意とするところであるので、本発明では、このような機能を有効に活用する。
【００２４】
本発明の動画撮影カメラは、高精細の高速撮像素子を駆使して、従来のような光学ズームによる可動部分を少なくして、しかもより多くの情報量を有効利用して、動きのある被写体に対してスムースな動画像を撮影可能とするものである。
【００２５】
図３は、本発明のカメラ1を用いた撮影時のエリア枠の変更操作例である。図３（Ａ）は、ユーザーの手によって把持されたカメラ１を背面から見た図である。スイッチ１６ｂはレリーズ指示用、スイッチ１６ａは指定部画像記録指示用である。カメラ１の背面には表示部１２の表示面が配置される。表示部１２の画面には、モニタ画像に重畳して四角形のエリア枠１２ａが表示される。エリア枠１２ａは、部分的に撮影される指定部画像の位置と大きさを示すように表示される枠である。ユーザーはスイッチ１６ａ、スイッチ１６ｂを右手で操作しながら構え、表示部１２を見て、構図や撮影タイミングを決定する。そして、スイッチ１６ｂ（レリーズ）を押している間は、表示部１２に表示された全域画像が、第1画像処理部６ａと第１記録再生部７ａによってメモリに記録される。また、左手でエリア枠１２ａの位置や大きさを指定すると、タッチパネルがそれを検出して、エリア枠１２ａ内の指定部画像が第２画像処理部６ｂと第２記録再生部７ｂによって記録される。
【００２６】
ここで、エリア枠１２ａの判定や変更の仕方は種々考えられるが、一例として予め図３（Ｂ）のように、異なるサイズのいくつかの枠パターン１２ａ−１を表示させておき、そのいずれを触ったかによってエリア枠を選択するようにしてもよい。例えば小さい範囲（内側の枠）、大きい範囲（外側の枠）、細長い範囲（破線の枠）等である。あるいは、タッチした位置と回数によって、大きさを変更するような方法としてもよい。また、間違えてタッチされた範囲が記録されないように、スイッチ１６ａを押さないとその部分の画像（指定部）が記録できないようになっている。
【００２７】
図４（Ａ）は、全域撮影される撮像領域と指定部撮影される撮像領域を対比して示した図である。全撮像領域３ｃが全域撮影される領域である。指定部撮像領域３ｄは全撮像領域３ｃの一部の領域である。なお、指定部撮像領域３ｄのみを記録すれば、従来のカメラで電子ズームによって撮影したと同様なことになる。また、撮像素子が多画素であれば、全域撮影画像は撮像素子の全画素を使わずに記録しても良い。その間引きレートは、再生時の分解能が十分な分解能となるような間引き率に設定する。図４（Ｂ）は、間引き読出しされる画素を模式的に示す画素配列の図である。全撮像領域３ｃを構成する全画素のうち、例えば、斜線部の画素３ｅが間引いて読み出される画素を示す。
【００２８】
図５はカメラ１の撮影処理を示すフローチャートである。この処理は、主にＭＰＵ１０によってプログラムに従って実行される。カメラ１が撮影モードに設定されているとする。そして、ユーザーによるスイッチ１６ｂの操作有無を判断する（ステップＳ１２）。スイッチ１６ｂの操作がなされたら（ステップＳ１２ＹＥＳ），まず、全域撮影を開始する（ステップＳ１３）。次に、ユーザーによるタッチパネル１３への操作有無を判断する（ステップＳ１４）。
【００２９】
タッチパネルへの操作がなければ（ステップＳ１４ＮＯ）、次にスイッチ１６ａへの操作有無を判断する（ステップＳ１５）。スイッチ１６ａは、指定部画像の撮影を指示するスイッチである。ユーザーによるスイッチ１６ａの操作があると（ステップＳ１５ＹＥＳ）、次にエリア枠１２ａが指定されているかを判断する（ステップＳ１６）。エリア枠１２ａが指定されていれば（ステップＳ１６ＹＥＳ）、その枠で指定される範囲を撮影する指定部撮影を行う（ステップＳ１７）。なお、ここでは全域撮影も継続して行われるので、２つの動画撮影が同時に行われることになる。エリア枠１２ａが指定されていなければ警告を表示（ステップＳ２２）して、ステップＳ１２に戻る。
【００３０】
一方、タッチパネルへの操作があれば（ステップＳ１４ＹＥＳ）、エリア枠１２ａの変更処理を行う。まず、タッチされた所を中心にエリア枠１２ａを表示させる（ステップＳ１９）。続いて、複数回タッチされたかを判断する（ステップＳ２０）。タッチされた回数に応じて、エリア枠１２ａの大きさを変更する（ステップＳ２１）。例えば、回数に応じて小さくするようにする。
【００３１】
図６にエリア枠１２ａの変化例の画面を示す。図６は、タッチ操作によって、表示部１２に表示される枠エリア１２ａの大きさの変化例を示す図である。図６（Ａ）は、最初のエリア枠１２ａの大きさと、エリア枠１２ａに対してのタッチ操作を示している。例えば、複数回のタッチ操作によってエリア枠１２ａが、図６（Ａ）から(Ｂ)のように次第に縮小されていく。
【００３２】
そして、撮影中にスイッチ１６ｂの操作が解除されたと判断すると（ステップＳ１２ＮＯ），全域及び指定部いずれの撮影も終了して（ステップＳ１８）、スイッチ１６ｂの操作（撮影再開）を待つよう待機する。
【００３３】
また、ステップＳ２０、ステップＳ２１の後もステップＳ１２に進み、終了指示がない限り撮影を継続する。以上のフローチャートにより、全域画像及び、ユーザーにより指定されたタイミングで指定された範囲の指定部画像が記録される。
【００３４】
次に、上記操作の変形例を図７に示す。図７は、図５で説明した撮影処理の変形例を説明するフローチャートである。上記図５のフローチャートでは、スイッチ１６ｂが押されると、全域撮影が必ず行われた。しかし、全域撮影を行わずに指定部のみの撮影を行えるようにするようにしても便利である。そこで、この変形例では、全域撮影と指定部撮影の撮影操作を独立して行うようにする。
【００３５】
まずスイッチ１６ｂの操作の有無を判断する（ステップＳ３１）。スイッチ１６ｂが操作されると（ステップＳ３１ＹＥＳ）、全域撮影中であれば全域撮影を終了し、全域撮影中でなければ全域撮影を開始するように、全域撮影の動作を切換える（ステップＳ３２）。一方、スイッチ１６ｂが操作されなければ（ステップＳ３１ＮＯ）、全域撮影中であれば撮影を継続し、停止中でればそのままでステップＳ３４に進む。続いて、スイッチ１６ａの操作の有無を判断する（ステップＳ３４）。次に、スイッチ１６ａが操作されていれば（ステップＳ３４ＹＥＳ）、エリア枠１２ａで指定された部分を撮影する指定部撮影中であれば指定部撮影を終了し、指定部撮影中でなければ指定部撮影を開始するように、指定部撮影の動作を切換える（ステップＳ３５）。一方、スイッチ１６ａが操作されなければ（ステップＳ３４ＮＯ）、この指定部撮影に関する動作を切換えない。そして、ステップＳ３１へ戻り、このループを巡回する。これにより、全域撮影と指定部撮影の撮影が両方またはいずれか一方を任意で行うことができる。
【００３６】
以上説明したように、第１実施形態で説明したカメラ１では、従来のビデオカメラとは撮影の仕方も撮影される画像の質も異なったものとなる。そして、本発明の動画撮影カメラは、最新の高精細の高速撮像素子を駆使して、従来のような光学ズームによる可動部分を少なくして、しかもより多くの情報量を有効利用して、変化のある動きのスムースな動画像の撮影が可能となる。
【００３７】
さらに、本発明では、ズーミングがうまくできなくても、全体画像が常に撮影されるのでこれを採用すれば良く、間欠的にズーミングを行うことによる気になる動作音もなくなる効果がある。また、手動ズームではなく、電気的に効果的なズームができるので、ユーザーが手でそれを加減を見ながら制御する必要がなく、なめらかな画面変化となり、より効果的な表現が可能となる。ユーザーは撮影したい所の指定のみを考えれば良いので、ズーミング操作から開放され、簡単に見やすい画像の動画撮影ができるようになる。なお従来、予め高画素で撮影しておいて、再生時に部分を選択する方法もあるが、それでは、カメラのメモリサイズが巨大になったり、録画時間が短くなったり、圧縮回路が巨大になったり、消費エネルギが大きくなってしまう。本実施形態のような撮影を行えば、これらの問題もない。
【００３８】
（第２実施形態）
図８、図９を用いて、第２実施形態を説明する。第１実施形態によるズーミングの際に、全域画像から指定部画像に急に画像が切換わると、見ている者が不連続感を感じるおそれがある。そこで、第２実施形態では、この不連続感を軽減すべく、指定部画像への切換え撮影時に、だんだんにその画像にズームし、次第に絞り込まれていくような撮影制御を行わせるようにする。以下これをトランジション効果(撮影）と称す。なお、第１実施形態では、全域画像と指定部画像の両方またはいずれか一方を選択的に記録することを説明したが、以下第２実施形態では、いずれか一方を選択して記録する例で説明する。もちろん両方を記録するようにしても当然よい。なお、適用されるカメラのブロック図は図１と共通なので省略する。
【００３９】
図８はトランジション撮影を含む第２実施形態の撮影手順を説明するフローチャートである。また、図９は、トランジション撮影時に、表示部１２に表示されるモニタ画面を説明する図である。図９（Ａ）、（Ｂ）、（Ｃ）は、モニタ画面の時間的変化を順に示している。簡単に説明すると、撮影記録される画像が、全域画像から直ちに指定部画像に切換わるのではなく、（Ａ）の１２ｂ（全域画像）から、（Ｂ）の１２ｂの中間サイズの画像（第３の画像）を経て、（Ｃ）の１２ｂ（指定部画像）に切換わるようにする。以下、フローチャートの流れに沿って説明する。なお以下、現に撮影されている画像が表示される画面をメイン画面と呼び、それ以外の画面をサブ画面と呼ぶ。また、中間サイズの画像を第３の画像とも呼ぶ。
【００４０】
カメラ１が撮影モードに設定され、全域画像の撮影が指示されたとする。全域画像の撮影を開始する（ステップＳ４１）。ここで、指定部撮影する指示の有無を判断する（ステップＳ４２）。指定部撮影モード設定の指示が行われると（ステップＳ４２ＹＥＳ）、表示部１２の表示をマルチ画面表示にする（ステップＳ４４）。この段階では、まだ指定部撮影は開始されない。準備の段階である。終了操作がされれば（ステップＳ４３ＹＥＳ）全域画像撮影を終了する。
【００４１】
図９（Ａ）が、このマルチ画面の最初の表示である。表示部１２には、メイン画面１２ｂが大きなサイズで表示され、その横にサブ画面１２ｃとサブ画面１２ｄが小画面として表示される。メイン画面１２ｂの一部には、エリア枠１２ａが重畳して表示される。前述した通りエリア枠１２ａは指定部の領域を示すものである。サブ画面１２ｃ及びサブ画面１２ｄは、トランジション撮影される開始と終了の画像を示していて、トランジション撮影の効果をユーザーに確認させるための表示である。右上の画面１２ｃには、開始時点サイズの画像である全域画像が表示される。右下のサブ画面１２ｄには、終了時点サイズの画像である、エリア枠１２ａの画像が表示される。また、メイン画面１２ｂの周囲には太枠が表示され、太枠でこの画像が現在撮影中であることを示す。次の（Ｂ）、（Ｃ）も同様に、メイン画面は太枠が付される。
【００４２】
次に、ユーザーの切換え操作の有無を判断する（ステップＳ４５）。全域撮影から指定部撮影への切換え操作があると（ステップＳ４５ＹＥＳ）、トランジション撮影を開始する（ステップＳ４６）。画面が図９（Ａ）から図９（Ｂ）に変わる。
【００４３】
マルチ画面として、大きなメイン画面１２ｂと小さなサブ画面１２ｃの２つの画面が表示される。メイン画面１２ｂに撮影画像が表示される。この状態では、全域画像より少しズームアップされた画面が撮影される。全域画像から指定部画像に直ちには切換えずに、ズームアップしながら変化させるわけである。また、サブ画面１２ｃには、図（Ａ）よりも縮小されたサイズで、全域画像が表示される。常に全域画像が確認できるようにするためである。撮影サイズを少しづつ変化させて自然なズーミングをさせる。
【００４４】
そして、指定部サイズの画像に至って、トランジション撮影が終わり、通常の指定部撮影に切り換わる（ステップＳ４７）。図９（Ｃ）は、トランジション撮影終了後の画面である。（Ｂ）と同様にマルチ画面として、大きなメイン画面１２ｂと小さなサブ画面１２ｃの２つの画面が表示される。メイン画面１２ｂに撮影中の指定部画像が表示される。サブ画面１２ｃには、同図（Ｂ）と同じサイズで、全域画像が表示される。常に全域画像が確認できるようにするためである。以降は、変更操作がない限りこの指定部画像が継続して撮影される。
【００４５】
指定部画像撮影中は、全域画像撮影への切換え操作の有無を判断する（ステップＳ４８）。全域画像撮影が指示されると（ステップＳ４８ＹＥＳ）、トランジション撮影を開始する（ステップＳ４９）。図９とは逆に、指定部画像から全域画像へ徐々にサイズを小さくしながら撮影を行う。そして、指定部撮影を終了させて、全域画像撮影に切換える（ステップＳ５０）。そして、ステップＳ４１に戻る。
【００４６】
また、指定部画像撮影中は、ユーザーの終了操作の有無を判断する（ステップＳ５１）。終了指示があったと判断すると（ステップＳ５１ＹＥＳ）、画像の撮影を終了させる。終了指示がないときは（ステップＳ５１ＮＯ）、ステップＳ４７に戻り、指定部画像撮影を継続する。
【００４７】
以上説明したように、第２実施形態で説明したカメラ１では、手動ズームではなく、自動的に効果的なズームができるので、ユーザーが手でそれを加減を見ながら制御する必要がなく、なめらかな画面変化となり、より効果的な表現が可能となる。また、単純にズーミングするだけでなく、フェードインフェードアウトとか特殊効果を加味する設定をしても良い。このような工夫によって、ユーザーは撮影したい所の指定のみを考えれば良いので、ズーミング操作から開放され、簡単に見やすい画像の動画撮影画できるようになる。無論、全域画像と指定部画像の両方を常に記録するようにしてもよい。
【００４８】
（第３実施形態）
図１０、図１１を用いて第３実施形態を説明する。第３実施形態は、第１および第２実施形態によって記録された２つの画像を再生時に鑑賞する方法に関する。図１０は、この２つの画像の鑑賞法を説明するフローチャートである。また、図１１は、２つの画像を再生する時に、表示部１２に表示される画面例である。なお、適用される再生装置としては第１実施形態のカメラ１を用いるものとする。
【００４９】
まず全域画像を再生させる（ステップＳ６１）。同時に、この全域画像に指定部画像が付帯されているかを判断する（ステップＳ６２）。指定部画像があるときは（ステップＳ６２ＹＥＳ）、指定部画像がある旨の表示を行う（ステップＳ６３）。図１１（Ａ）がこのときに表示される画面で、例えば画面右下隅に「Ｓ」の文字が表示される。この「Ｓ」が、指定部画像がある旨の表示（１２ｅ）である。
【００５０】
ユーザーによる指定部画像表示の有無を判断する（ステップＳ６４）。指定部画像表示が選択されると（ステップＳ６４ＹＥＳ）、指定部画像を拡大処理する（ステップＳ６５）。そして、図１１（Ｂ）のように、指定部画像と全域画像の両画像を表示する（ステップＳ６６）。大きいサブ画面１２ｆには指定部画像が表示され、小さなサブ画面１２ｇには全域画像が表示される（図１１（Ｂ））。指定部画像が存在しないとき（ステップＳ６２ＮＯ）や指定部画像表示操作がないとき（ステップＳ６４ＮＯ）は、ステップＳ６１に戻る。
【００５１】
図１１（Ｂ）の表示状態で、ユーザーの指定部画像表示の終了操作（ステップＳ６７）または再生終了操作の有無を判断する（ステップＳ６８）。指定部画像表示の終了の指示があると(ステップＳ６７ＹＥＳ）、ステップＳ６１に戻り、全域画像のみを表示させる。再生終了操作があると（ステップＳ６８ＹＥＳ）、再生を終了する。いずれもなければ、指定部表示を継続する。
【００５２】
以上説明したように、全域画像と指定部画像を自由に表示切換えできるようにしたので、画面に変化を持たせる再生方法が可能となる。
【００５３】
（第４実施形態）
図１２から図１４を用いて第４実施形態を説明する。上記各実施形態では全域画像と指定部画像を別々に記録していた。この第４実施形態では、２つの画像を別々に記録するのではなく、２つの画像をはじめから合成して１つの画面に構成してから、１の記録部に記録するようにする。
【００５４】
図１２は、本発明が適用されるデジタルカメラ３１の全体ブロック図である。ここで、第１実施形態と同様な機能部には同一番号を符号を付け、その説明は省略する。異なる部分のみ説明する。画像処理部２６は、第１画像処理部６ａと第１画像処理部６ａを合わせたものと同等な機能である。同様に記録再生部２７は、第１記録再生部７ａと第２記録再生部７ｂとを合わせたものと同等な機能である。
【００５５】
撮像素子３からは、奇数フィールド画像と偶数フィールド画像の信号が交互に出力される。ＡＦＥ４は、この２つの画像信号を撮像素子３から交互に読み出す。この奇数フィールド信号は、撮像素子の全体範囲の奇数フィールド信号である。偶数フィールド信号は指定された一部の領域の偶数フィールド信号である。そして、ＡＦＥ４はこの奇数フィールド信号による全域画像データと偶数フィールド信号による指定部画像データを交互に出力する。そして選択部２４は、撮像素子から読み出される信号のうち、全域画像データ（奇数フィールド画像）をメモリ２２へ、指定部画像データ（偶数フィールド画像）を画面構成部２３に出力する。なお、指定部画像となる偶数フィールド信号は、撮像素子３からは一旦全域範囲の信号で読出し、ＡＦＥ４で指定の領域のみの信号に切り出し処理してもよい。
【００５６】
メモリ２２は、選択部２４から出力された２つの画像を同じタイミングで合成するために、一方の画像データを一時的に記憶するメモリである。画面構成部２３は、選択部２４から直接出力される偶数フィールド画像と、一旦メモリに記憶された奇数フィールド画像の２つの画像を合成するものである。具体的には、前記した図１１（Ｂ）のような画像が記録される。なお、ここで使用される撮像素子３は、所定時間内に大量の画像の取り込みのできる高速のもので、全データの全てを利用しなくても、なめらかな動画像が得られるような高画素な撮像素子である。
【００５７】
２つの画像データから１つの画像に合成する手順を説明する。図１４は、撮像素子３から出力される画像信号から合成画像が作成される手順を説明するタイミングチャートである。
【００５８】
同図（Ａ）は、撮像素子３から、偶数列（偶数フィールド）と奇数列（奇数フィールド）で交互に出力されるフィールド単位の画像信号の列を示す。（Ｂ）の画像信号列は、（Ａ）の画像データのうちの奇数番目のタイミングの画像信号を抽出したものである。この画像信号は全域画像に対応するものとする。そして、（Ｃ）の画像信号列は、上記（Ｂ）の画像信号列がメモリ２２に一旦格納されて、所定時間ずらされて、メモリ２２より画面構成部２３に出力されるタイミングを示す。
【００５９】
一方、（Ｄ）の画像データ列は、（Ａ）の画像データ列のうちの偶数番目のタイミングの画像データを抽出したものである。この画像データが、指定部画像に対応する。そして、(Ｃ)の奇数番目の画像データの１つと(Ｄ)の偶数番目の画像データの１つが画面構成部２３で合成処理される。（Ｅ）の画像データ列は、画面構成部２３から出力される合成された画像データの列を示す。そして、合成された画像データは画像処理部２６で圧縮等される。（Ｆ）の画像データ列は、圧縮されて画像処理部２６より出力される画像データのタイミングを示す。この画像データが動画像として順次記録される。以上のようにして、１回の撮影で異なる撮像領域の画像であって、１つに再構成された画像を得る事ができる。
【００６０】
図１３はカメラ３１の撮影処理を示すフローチャートである。この処理は、主にＭＰＵ１０によってプログラムに従って実行される。
【００６１】
ユーザーによる撮影（レリース）操作の有無を判断する（ステップＳ７１）。レリーズ操作がされたと判断すると（ステップＳ７１ＹＥＳ）、全域画像の撮影を行う（ステップＳ７２）。撮像素子３の略全領域信号（奇数フィールド）の撮影を行う。このとき、図３で説明したような間引き読出しを行う。ユーザーによる撮影終了操作の有無を判断する（ステップＳ７３）。撮影終了操作がされれば（ステップＳ７３ＹＥＳ）、終了処理する。終了操作がなければ、次のステップに進む。
【００６２】
次に、領域指定操作の有無を判断する（ステップＳ７４）。領域指定操作は、全域の一部を撮影する指定部撮影の領域を指定する操作である。ここで、この領域指定操作は指定部撮影の開始操作も兼ねている。領域指定は、図５で説明したようにタッチパネルで指定してもよいし、他に設けられた十字キーで操作するようにしても無論よい。領域指定があれば（ステップＳ７４ＹＥＳ）、全域画像信号（奇数フィールド）と所定の領域の画像信号（偶数フィールド）を交互に読み出す（ステップＳ７５）。このとき、モニタ表示としては、図１１の（Ａ）から（Ｂ）のように画面を切換える。
【００６３】
そしてこの切換時には、指定画像については、図９で説明したような、徐々にズーミングするようなトランジション効果を持たせるような撮影を数秒間行う（開始トランジション）。こうして得られた２つの画像を再構成する（ステップＳ７６）。また全域画像は図１１（Ｂ）の１２ｂのように小画面で構成する。そして、これを動画像として記録する（ステップＳ７７）。そして、所定のトランジション撮影が終了するまで、ステップＳ７５にもどり、巡回する。トランジション撮影が終了すれば、全域画像と通常の指定部範囲の画像の撮影に移行する。全域画像と指定部領域の画像を交互に読出し、画面構成部で合成画像にして、これを記録する（ステップＳ７９）。
【００６４】
一方、指定部画像撮影中に、指定部撮影を解除する操作を判断し（ステップＳ８０）、解除操作が行われると（ステップＳ８０ＹＥＳ）、指定部撮影を解除して、ステップＳ７２に進む。解除操作は、スイッチ１６ｃの操作、またはスイッチ１６ａの押し込みで開始した指定部撮影を再度の押し込みで終了するようにしてもよい。
【００６５】
一方。指定部画像撮影から全域画像撮影に切換える際も、トランジション撮影を行う（終了トランジション）。所定のトランジション効果を持たせて、前とは逆に指定部画像を徐々に小さくするようにする（ステップＳ８１）。指定部画像を読み出す。これら全域画像と指定部画像にトランジション効果を持たせて、画像の再構成を行う（ステップＳ８２）。全域画像と指定部画像の動画を１つの動画として記録する（ステップＳ８３）。そして、トランジション終了（ステップＳ８４ＮＯ）するまで、ステップＳ８１からステップＳ８３まで繰り返す。トランジション撮影終了（ステップＳ８４ＹＥＳ）したら、ステップＳ７２に戻り、通常の全域画像のみの撮影を行う。また、終了操作を判断し（ステップＳ８５）、終了操作があれば（ステップＳ８５ＹＥＳ）、撮影を終了する。
【００６６】
以上説明したように、この実施形態では２つの画面を１つの画像として圧縮記録したので、別々に記録する実施形態より単純な構成とすることができる。
【００６７】
つぎに第５実施形態について説明する。トランジション撮影は全域画像と指定部画像からなるマルチ画像に適用するだけでなく、撮影画角の切換えを行うときにも応用が可能である。図１５は、画像切換え時に、徐々に画像を切り替える様子を示す図である。全域画像からその一部領域の画像に画角を切換える操作がされたときに、図１５（Ａ）→（Ｂ）のように、画面を突然変えるのではなく、その部分が連続的に自然にだんだんクローズアップしていくように変える。つまり、図１５（Ａ）→（Ｃ）→（Ｄ）→（Ｂ）のように変化させるような考え方で動画撮影範囲の切換えを行えば、画面が不連続に変化するのを防止できる。
【００６８】
図１６は、全域画像と指定画像の切換えを徐々に行う撮影制御を説明するフローチャートである。図１５（Ａ）のような画面を撮影しているとする（ステップＳ９１）。図１５（Ｂ）のような画角への切換操作がされたとき（ステップＳ９２ＹＥＳ）、指定エリアと現エリアの差異を判定する（ステップＳ９４）。指定エリアが現エリアの何倍になるか、つまり現エリアに対する指定エリアの面積比をｎとし、このn倍を算出する。まず、操作が拡大かを判断する（ステップＳ９５）。操作が拡大のとき（ステップＳ９５ＹＥＳ）、つまり指定されたエリアがズームアップ方向（（Ａ）→（Ｂ））なら、ステップＳ９６に進む。そして、撮影する領域を、指定エリアの（１／ｎ）×（３）倍のサイズにして撮影を行う（ステップＳ９６）。次に、撮影する領域を、指定エリアの（１／ｎ）×（３／２）倍のサイズにして撮影を行う（ステップＳ９７）。最終的なｎ倍拡大画像に近づけるように、撮影エリアを次第に狭めていく。つまり、ｎ＝６倍とすると、撮影エリアが１／２、１／４、１／６のように順に縮小されていく。この所定のトランジション撮影のあと、指定エリアサイズの撮影に移行する（ステップＳ９８）。
【００６９】
その後、撮影終了操作を判断し(ステップＳ９９）、終了操作があれば(ステップＳ９９ＹＥＳ）、終了処理する。また、画面切換え操作を判断し（ステップＳ１００）、切換え操作があれば(ステップＳ１００ＹＥＳ）、ステップ９４に戻る。一方、撮影終了操作がなく(ステップＳ９９）、画面切換え操作もなければ（ステップＳ１００）、ステップＳ９８の撮影を継続する。
【００７０】
一方、ステップＳ９２の切換え操作が、ステップＳ９１での画角にもどすような切換え操作であったとすると、ステップＳ９５で拡大ではないと判断し、ステップＳ１０１に進む。撮影する領域を、現エリアの（ｎ／３）倍のサイズ（ステップＳ１０２）、次に（２／３×ｎ）倍のサイズ（ステップＳ１０３）、最後に指定エリアのサイズで撮影する（ステップＳ１０４）。つまり、指定画像がｎ＝６倍の画像であるとすると、撮影エリアを２，４，６倍に拡大して、指定エリアのサイズに移行させて、ステップ９８に進む。図１５でいうと、（Ｂ）→（Ｄ）→（Ｃ）→（Ａ）に変化する。
【００７１】
このように第５実施形態によれば、不連続な撮影エリア切換えでも、突然画面が変化するのではなく、自然に画角が変化していくようにアナログ的な画角切換え効果を付加でき、より自然でなめらか動画映像を楽しむことができる。
【００７２】
なお、上記各実施形態で説明したＭＰＵ１０の処理に関しては、一部または全てをハードウェアで構成してもよい。具体的な構成は設計事項である。また、ＭＰＵ１０による各制御処理は、ＲＯＭ１１に格納されたソフトウェアプログラムがＭＰＵ１０に供給され、供給されたプログラムに従って上記動作させることによって実現されるものである。従って、上記ソフトウェアのプログラム自体がＭＰＵ１０の機能を実現することになり、そのプログラム自体は本発明を構成する。また、そのプログラムを格納する記録媒体も本発明を構成する。記録媒体としては、フラッシュメモリ以外でも、ＣＤ−ＲＯＭ、ＤＶＤ等の光学記録媒体、ＭＤ等の磁気記録媒体、テープ媒体、ＩＣカード等の半導体メモリ等を用いることができる。また、実施形態では本願発明をデジタルカメラに適用した例を説明したが、これに限らず例えば携帯電話のカメラ部に適用しても当然良い。
【００７３】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７４】
【図１】第１実施形態において、従来の撮影方法を説明する図。
【図２】第１実施形態において、本発明が適用されるデジタルカメラの全体ブロック図。
【図３】第１実施形態において、撮影時のエリア枠の変更操作例を示す図。
【図４】第１実施形態において、全域撮影される撮像領域と部分撮影される撮像領域を対比して示した図。
【図５】第１実施形態において、カメラ１の撮影処理を示すフローチャート。
【図６】第１実施形態において、タッチ操作によって表示部に表示される枠エリアの大きさの変化例を示す図。
【図７】第１実施形態において、撮影処理の変形例を説明するフローチャート。
【図８】第２実施形態において、トランジション撮影を含む撮影手順を説明するフローチャート。
【図９】第２実施形態において、トランジション撮影の具体例を説明する図。
【図１０】第３実施形態において、鑑賞法を説明するフローチャート。
【図１１】第３実施形態において、再生時に表示される画面例を示す図。
【図１２】第４実施形態において、本発明が適用されるデジタルカメラ３１の全体ブロック図。
【図１３】第４実施形態において、カメラ３１の撮影処理を示すフローチャート。
【図１４】第４実施形態において、撮像素子から出力される画像データから合成画像が作成される手順を説明するタイミングチャート。
【図１５】第５実施形態において、画像切換え時に画像が徐々に切り替わる例を示す図。
【図１６】第５実施形態において、全域画像と指定部画像の切換えを徐々に行う撮影処理を説明するフローチャート。
【符号の説明】
【００７５】
1…カメラ、２…撮影レンズ、３…撮像素子、３ｃ…全撮像領域、３ｄ…指定部撮像領域、
３ｅ…間引き画素、４…アナログフロントエンド（ＡＦＥ）部、
５…選択部、６ａ…第１画像処理部、６ｂ…第２画像処理部、
７ａ…第１記録再生部、７ｂ…第２記録再生部、８…画像処理ユニット、９…表示制御部
１０…ＭＰＵ、１１…ＲＯＭ、１２…表示部、１２ａ…エリア枠、１２ｂ…メイン画面、１２ｃ、１２ｄ、１２ｆ、１２ｇ…サブ画面、
１３…タッチパネル、１４…ＡＦ部、
１５…マイク部、１６…操作部、１６ａ、１６ｂ、１６ｃ…操作部、１７…音声記録部、１８…時刻部、１９…記録媒体、２０…被写体、
２２…メモリ、２３…画面構成部、２４…選択部、２６…画像処理部、２７…記録再生部
３１…カメラ、
【図１】
2007295529.tif 000003
【図２】
2007295529.tif 000004
【図３】
2007295529.tif 000005
【図４】
2007295529.tif 000006
【図５】
2007295529.tif 000007
【図６】
2007295529.tif 000008
【図７】
2007295529.tif 000009
【図８】
2007295529.tif 000010
【図９】
2007295529.tif 000011
【図１０】
2007295529.tif 000012
【図１１】
2007295529.tif 000013
【図１２】
2007295529.tif 000014
【図１３】
2007295529.tif 000015
【図１４】
2007295529.tif 000016
【図１５】
2007295529.tif 000017
【図１６】
2007295529.tif 000018